(57)【要約】【目的】伸縮目地材を撓むことなく取り付けるとともに腐食による影響を受けずにかつ効率よく構築する。【構成】本発明に係るコンクリート壁状部材の構築方法においては、まず、コンクリート壁状部材である橋梁の高欄１の壁芯２に沿って該高欄が構築されるコンクリート打設空間３の両側方に型枠パネル４ａ，４ｂを連続して対向配置するとともに、セメントボード５を壁芯２に直交するように鉛直配置してその両側方縁部６，６を互いに隣接する型枠パネル４ａ，４ｂの間に挟み込んで固定する（ステップ１０１）。次に、セメントボード５に伸縮目地材２１が取り付けられた状態でコンクリート打設空間３にコンクリートを打設する（ステップ１０２）。次に、型枠パネル４ａ，４ｂを脱型し、形成された高欄１の側方から突出しているセメントボード５の突出部分を切断除去する（ステップ１０３）。【選択図】  図１
2005030099.tif 000002
【特許請求の範囲】
【請求項１】
伸縮目地材が鉛直面に沿って所定箇所ごとに設けられてなるコンクリート壁状部材の構築方法において、
前記コンクリート壁状部材の壁芯に沿って該コンクリート壁状部材が構築されるコンクリート打設空間の両側方に型枠パネルを連続して対向配置するとともに、所定のセメントボードを前記壁芯に直交するように鉛直配置してその両側方縁部を前記型枠パネルのうち、互いに隣接する型枠パネルでそれぞれ挟み込んで固定し、前記セメントボードに前記伸縮目地材が取り付けられた状態で前記コンクリート打設空間にコンクリートを打設し、前記型枠パネルを脱型後、形成されたコンクリート壁状部材の側方から突出している前記セメントボードの突出部分を切断除去することを特徴とするコンクリート壁状部材の構築方法。
【発明の詳細な説明】
【技術分野】
【０００１】
本発明は、伸縮目地材を設ける際に用いるコンクリート壁状部材の構築方法に関する。
【背景技術】
【０００２】
コンクリートは、乾燥収縮や温度変化による膨張収縮によって変形しやすく、かかるコンクリートの変形を吸収するため、伸縮目地材を設けることが必要となる場合がある。なお、かかる伸縮目地材として、アスファルト系、ゴム発泡体系、樹脂発泡体系等の目地板や充填材が用いられている。
【０００３】
ここで、伸縮目地材を設けてコンクリート部材を構築する場合は、伸縮目地材で隔てられた各打設空間にコンクリートを一括打設する際、伸縮目地材の両側に作用するコンクリートの側圧差で該伸縮目地材が撓むことがないよう、伸縮目地材を亜鉛、ステンレスなどの金属補強板で補強した上、型枠内に取り付け、しかる後、コンクリートを打設していた。
【０００４】
【特許文献１】特開平７−３００９５０
【特許文献２】特開２０００−２０４５３４
【特許文献３】特開２０００−２４００３６
【発明の開示】
【発明が解決しようとする課題】
【０００５】
伸縮目地材を型枠内に取り付ける際、金属補強板で伸縮目地材を補強すると、金属補強板がコンクリート内に残置されることとなり、腐食によるコンクリートへの悪影響が懸念されるという問題を生じていた。
【０００６】
さりとて、上述した打設空間のうち、伸縮目地材が対向配置されている打設空間にコンクリートを先行打設し、次いで、金属補強板を撤去してから残りの打設空間にコンクリートを打設するのはコンクリートを二回打設しなければならず効率が悪い。
【０００７】
本発明は、上述した事情を考慮してなされたもので、伸縮目地材を撓むことなく取り付けるとともに腐食による影響を受けずにかつ効率よく構築することが可能なコンクリート壁状部材の構築方法を提供することを目的とする。
【課題を解決するための手段】
【０００８】
上記目的を達成するため、本発明に係るコンクリート壁状部材の構築方法は請求項１に記載したように、伸縮目地材が鉛直面に沿って所定箇所ごとに設けられてなるコンクリート壁状部材の構築方法において、前記コンクリート壁状部材の壁芯に沿って該コンクリート壁状部材が構築されるコンクリート打設空間の両側方に型枠パネルを連続して対向配置するとともに、所定のセメントボードを前記壁芯に直交するように鉛直配置してその両側方縁部を前記型枠パネルのうち、互いに隣接する型枠パネルでそれぞれ挟み込んで固定し、前記セメントボードに前記伸縮目地材が取り付けられた状態で前記コンクリート打設空間にコンクリートを打設し、前記型枠パネルを脱型後、形成されたコンクリート壁状部材の側方から突出している前記セメントボードの突出部分を切断除去するものである。
【０００９】
本発明に係るコンクリート壁状部材の構築方法においては、まず、コンクリート壁状部材の壁芯に沿って該コンクリート壁状部材が構築されるコンクリート打設空間の両側方に型枠パネルを連続して対向配置するとともに、所定のセメントボードを壁芯に直交するように鉛直配置してその両側方縁部を型枠パネルのうち、互いに隣接する型枠パネルでそれぞれ挟み込んで固定する。
【００１０】
なお、型枠パネル及びセメントボードを配置する際は、どのような順序で配置するかは任意であり、例えば、セメントボードを先に配置するようにしてもかまわないし、型枠パネルを先に配置するようにしてもかまわないし、セメントボードと型枠パネルとを交互に配置するようにしてもかまわない。
【００１１】
次に、セメントボードに伸縮目地材が取り付けられた状態でコンクリート打設空間にコンクリートを打設する。
【００１２】
なお、伸縮目地材は、コンクリートを打設する前にセメントボードに取り付けられるのであれば、いつ取り付けるのかは問わない。また、どのような手段で伸縮目地材をセメントボードに取り付けるのかも任意であり、例えば、ボルト接合したり、接着剤を用いて固定したりすることが考えられる。
【００１３】
次に、型枠パネルを脱型後、形成されたコンクリート壁状部材の側方から突出しているセメントボードの突出部分を切断除去する。
【００１４】
このようにすると、金属補強板ではなくセメントボードで伸縮目地材を補強するので、コンクリート壁状部材にセメントボードが残置されても、腐食による影響を懸念する必要がなくなる。また、腐食による影響を避けるためにコンクリート打設を二回に分ける必要がなくなるため、効率のよいコンクリート打設が可能となる。
【００１５】
また、伸縮目地材をセメントボードに取り付けて固定するとともに、該セメントボードの両側方縁部を型枠パネルで挟んで固定するため、コンクリート打設時に伸縮目地材が撓むのを防止することができるとともに、セメントボードの横倒れ等を防止して所望の位置に伸縮目地材を設けることが可能となる。
【００１６】
コンクリート壁状部材は、伸縮目地材を設ける必要があるコンクリート製の壁状部材であるのならばどのようなものでもかまわないが、例えば、橋梁の高欄とすることが考えられる。
【００１７】
伸縮目地材は、コンクリート壁状部材の鉛直面に沿って設けることができるのであればどのように構成するかは任意であり、公知のアスファルト系や発泡体系等の材料の中から適宜選択すればよい。
【００１８】
セメントボードは、コンクリート打設時の圧力に抵抗できる強度を有し、伸縮目地材を取り付けることができるとともに、壁芯に直交するように鉛直配置した時にその両側方縁部が型枠パネルに挟み込まれるのであれば、どのように構成するかは任意である。
【００１９】
型枠パネルは、コンクリート打設空間の両側方に連続して対向配置するとともに、セメントボードの側方縁部を挟み込むことができるのであれば、どのように構成するかは任意であり、例えば、矩形状の堰板と該堰板の背面縁部に沿って取り付けられた枠材とで構成することが考えられる。
【発明を実施するための最良の形態】
【００２０】
以下、本発明に係るコンクリート壁状部材の構築方法の実施の形態について、添付図面を参照して説明する。なお、従来技術と実質的に同一の部品等については同一の符号を付してその説明を省略する。
【００２１】
図１は、本実施形態に係るコンクリート壁状部材の構築方法の手順を示したフローチャートであり、図２は、コンクリート壁状部材の構築方法を橋梁の高欄１に適用した様子を示した図で、(a)は平面図、(b)は(a)のＡ―Ａ線に沿う断面図である。
【００２２】
これらの図に示すように、本実施形態に係るコンクリート壁状部材の構築方法においては、まず、コンクリート壁状部材である橋梁の高欄１の壁芯２に沿って該高欄が構築されるコンクリート打設空間３の一方の側方に型枠パネル４ａを連続配置するとともに他方の側方に型枠パネル４ｂを連続配置することで型枠パネル４ａ，４ｂをコンクリート打設空間３の両側方に対向配置するとともに、セメントボード５を壁芯２に直交するように鉛直配置してその一方の側方縁部６を互いに隣接する型枠パネル４ａ，４ａの間に挟み込むとともに他方の側方縁部６を互いに隣接する型枠パネル４ｂ，４ｂの間に挟み込むことでセメントボード５の両側方縁部６，６を互いに隣接する型枠パネル４ａ，４ｂの間に挟み込んで固定する（ステップ１０１）。
【００２３】
具体的には、図３の断面詳細図に示すように、予めコンクリート打設空間３内に横筋３１及び縦筋３２の配筋を行っておき、まず、互いに対向する一対の型枠パネル４ａ，４ｂを設置し、次いで、セメントボード５を、その両側方縁部６，６の一方の面３３，３３が一対の型枠パネル４ａ，４ｂの側面にそれぞれ当接するように鉛直配置する。次に、セメントボート５の両側方縁部６，６の他方の面３４，３４に当接するように一対の型枠パネル４ａ，４ｂをあらたに設置する。以下、セメントボート５及び一対の型枠パネル４ａ，４ｂの設置を交互に繰り返す。なお、型枠パネル４ａ，４ｂは、支保工３５を用いて適宜固定することとなる。
【００２４】
型枠パネル４ａ，４ｂは、図４に示すように、矩形状の堰板１１と該堰板の背面縁部に沿って取り付けられた枠材１２とで構成してあり、該枠材の側面１３をセメントボード５の側方縁部６に当接させて該セメントボードを挟み込むことができるようになっている。
【００２５】
セメントボード５は、図５に示すように、幅が高欄１の壁厚ｄより大きくなるように矩形状に構成してあり、壁芯２に直交するように鉛直配置した時にその両側方縁部６，６を型枠パネル４ａ，４ｂで挟み込むことができるようになっている。
【００２６】
ここで、セメントボード５には、予め伸縮目地材２１をボルト接合によって取り付けてある。
【００２７】
なお、伸縮目地材２１をセメントボード５に取り付ける際は、同図(b)に示すように、予め伸縮目地材２１及びセメントボード５にボルト２２を貫通させるための孔２３，２４をそれぞれ形成しておき、次いで、伸縮目地材２１とセメントボード５とを両面テープで仮固定し、かかる状態でボルト２２を孔２３，２４に貫通させ、ナット２５で締結すればよい。
【００２８】
伸縮目地材２１は、高欄１の鉛直面に沿って設けることができるよう、幅が高欄１の壁厚ｄと同じになるようにかつ高さが高欄１の高さｈと同じとなるように矩形状に形成してある。
【００２９】
次に、上述したようにセメントボード５に伸縮目地材２１が取り付けられた状態でコンクリート打設空間３にコンクリートを打設する（ステップ１０２）。
【００３０】
このとき、伸縮目地材２１は、セメントボード５及び型枠パネル４ａ，４ｂによって所望の位置に確実に固定されているため、コンクリート打設時に伸縮目地材が撓むことがない。
【００３１】
次に、型枠パネル４ａ，４ｂを脱型し、図６に示すように、形成された高欄１の側方から突出しているセメントボード５の突出部分を切断除去する（ステップ１０３）。
【００３２】
このようにすると、セメントボード５及び伸縮目地材２１が鉛直面に沿って所定箇所ごとに設けられてなる高欄１が構築される。
【００３３】
以上説明したように、本実施形態に係るコンクリート壁状部材の構築方法によれば、金属補強板ではなくセメントボード５で伸縮目地材２１を補強するので、高欄１にセメントボード５が残置されても、腐食による影響を懸念する必要がなくなる。また、腐食による影響を避けるためにコンクリート打設を二回に分ける必要がなくなり、一回で打設することができるため、効率よく高欄１を構築することが可能となる。
【００３４】
また、伸縮目地材２１を十分な強度を有するセメントボード５に取り付けて固定するとともに、該セメントボードの両側方縁部６，６を型枠パネル４ａ，４ｂで挟んで固定するため、コンクリート打設時に伸縮目地材２１が撓むのを防止することができるとともに、セメントボード５の横倒れ等を防止して所望の位置に伸縮目地材２１を設けることが可能となる。
【００３５】
また、伸縮目地材２１をセメントボード５にボルト接合してあるため、高欄１の構築後にコンクリートが収縮し、コンクリートと伸縮目地材２１との間に間隙が生じた場合であっても、伸縮目地材２１が剥がれ落ちることはない。
【００３６】
本実施形態では、高欄１に本発明に係るコンクリート壁状部材の構築方法を適用する場合について説明したが、コンクリート壁状部材は高欄に限られるものではなく、伸縮目地材を設ける必要があるコンクリート製の壁状部材であるのならばどのようなものでもかまわない。
【００３７】
また、本実施形態では、互いに対向する一対の型枠パネル４ａ，４ｂとセメントボード５とを交互に設置していくようにしたが、型枠パネル及びセメントボードをどのような順序で配置するかは任意であり、例えば、全てのセメントボードを先に配置してから該セメントボードを挟み込むように型枠パネルを後から配置するようにしてもかまわないし、全ての型枠パネルを所定の隙間が形成されるように先に配置してからセメントボードをそれらの隙間に後から挿入配置するようにしてもかまわない。
【００３８】
また、本実施形態では、セメントボード５に予め伸縮目地材２１を取り付けておいてからセメントボード５を鉛直配置するようにしたが、伸縮目地材は、コンクリートを打設する前にセメントボードに取り付けられるのであれば、いつ取り付けるようにしてもかまわない。
【００３９】
また、本実施形態では、伸縮目地材２１をセメントボード５にボルト接合するようにしたが、伸縮目地材が確実にセメントボードに固定されるのであれば、どのような手段で固定するかは任意であり、例えば接着剤により固定するようにしてもかまわない。
【図面の簡単な説明】
【００４０】
【図１】本実施形態に係るコンクリート壁状部材の構築方法の手順を示したフローチャート。
【図２】本実施形態に係るコンクリート壁状部材の構築方法を適用した高欄を示した図で、(a)は平面図、(b)は(a)のＡ―Ａ線に沿う断面図。
【図３】本実施形態に係るコンクリート壁状部材の構築方法を適用した様子を示した断面詳細図。
【図４】本実施形態に係るコンクリート壁状部材の構築方法で用いる型枠パネルを示した斜視図。
【図５】本実施形態に係るコンクリート壁状部材の構築方法で用いるセメントボード及び伸縮目地材を示した斜視図。
【図６】本実施形態に係るコンクリート壁状部材の構築方法を適用した高欄を示した断面図。
【符号の説明】
【００４１】
１                            高欄（コンクリート壁状部材）
２                            壁芯
３                            コンクリート打設空間
４ａ，４ｂ                    型枠パネル
５                            セメントボード
６                            側方縁部
２１                          伸縮目地材
【図１】
2005030099.tif 000003
【図２】
2005030099.tif 000004
【図３】
2005030099.tif 000005
【図４】
2005030099.tif 000006
【図５】
2005030099.tif 000007
【図６】
2005030099.tif 000008